(57)【要約】  殊に高周波構造群（５）用の差し込み接続部を監視するための診断システムにおいて診断抵抗（６）が使用され、この診断抵抗を介して診断電流が流れる。診断抵抗（６）は差し込みコネクタ（１）内に組み込まれている。
2008523369.tif 000002
【特許請求の範囲】
【請求項１】
殊に高周波構造群（５）用の、少なくとも１つの差し込み接続部を監視するための診断システムであって、
診断抵抗（６）を介して流れる診断電流が評価される形式のものにおいて、
当該診断抵抗（６）は少なくとも二極式差し込みコネクタ（１）内に組み込まれている、
ことを特徴とする、差し込み接続部を監視するための診断システム。
【請求項２】
前記差し込みコネクタ（１）は組み込まれた診断抵抗（６）とともに、アンテナ（４）と高周波構造群（８）との間の信号経路内に配置されている、請求項１記載の診断システム。
【請求項３】
前記診断電流は、負荷ないしアンテナ（４）の方向に印加される、請求項１または２記載の診断システム。
【請求項４】
前記診断抵抗（６）は、前記差し込みコネクタ（１）の各差し込みコンタクト（１３）の間に配置されており、
当該差し込みコンタクトは負荷ないしアンテナ（４）につながっている、請求項３記載の診断システム。
【請求項５】
前記診断電流は重信供給（５）される、請求項１から４までのいずれか１項記載の診断システム。
【請求項６】
前記差し込みコネクタ（１）は直接的に、アンテナ（４）のアンテナ基部に接続されており、すなわち、プリント回路基板または取付プレートが間に接続されることなく接続されている、請求項２から５までのいずれか１項記載の診断システム。
【請求項７】
前記診断抵抗（６）は、接続されている負荷（４）ないしアンテナの抵抗よりも格段に小さく選定されている、請求項１から６までのいずれか１項記載の診断システム。
【請求項８】
前記診断電流は、能動的な回路、例えば能動的なアンテナ（４）の供給電流から導出される、請求項１から７までのいずれか１項記載の診断システム。
【発明の詳細な説明】
【技術分野】
【０００１】
従来技術
本発明は、殊に高周波構造群用の差し込み接続部を監視するための診断システムに関する。ここでは、診断抵抗を介して流れる診断電流が評価される。
【０００２】
従来技術
差し込み接続部を監視するために、診断抵抗を介して流れる診断電流を評価するのは公知である。診断電流が所定の電流窓内にある場合には、差し込み接続部に異常がないとされる。そうでない場合にはエラーが知らされる。差し込み接続部のこのような監視は、殊に受動的なアンテナおよび能動的なアンテナに対して使用される。なぜなら、これらのアンテナでは、異なった方法で、１つまたは複数のアンテナと接続された高周波構造群、（例えばダイバーシチィ評価部、増幅部、チューナー等）との間の全ての差し込みコネクタが正常に作動しているか否かを検出するのは困難だからである。ダイバーシチィアンテナ装置の場合には、このような監視はさらに重要である。なぜならこのような装置では、非常に強い高周波信号を供給するアンテナが、そのリード線内の差し込み接続部が正常に機能していないという理由のみで場合によっては考慮されないからである。
【０００３】
発明の利点
請求項１の措置によって、すなわち、診断抵抗が少なくとも二極式差し込み接続部内に組み込まれることによって、製造プリント回路基板上で診断抵抗用の場所が省かれるともに、製品性能が診断抵抗および診断電流によって低下することが回避される。このような診断抵抗および診断電流は他の構造群に悪影響を与える。従ってプリント回路基板の大きさを低減することができるか、または別の製品機能を収容することができる。受動的なアンテナの場合には本発明の措置によって、プリント回路基板ないし取付プレートを完全に省くことができる。なぜなら差し込み接続部を組み込まれた診断抵抗と共に、アンテナ基部に直接的に接続することができる、または給電ケーブルを介して、プリント回路基板または取付プレートを間に接続することなく接続することができるからである。
【０００４】
本発明は、自動車構造、殊に他の方法は費用がかかり過ぎてしまう場所で、ケーブル差し込み接続部の機能正常性および差し込み過程を監視および評価するために使用されるのに適している。これは例えば、アンテナ供給ケーブル等の高周波数信号伝送ケーブルでの使用である。
【０００５】
従属請求項には有利な構成が記載されている。
【０００６】
図面
差し込み接続部および診断抵抗を伴う基本回路図を示している図１に基づいて、本発明をより詳細に説明する。
【０００７】
実施例の説明
図１は、差し込みコネクタ１を示している。ここでこの差し込みコネクタの差し込み部分１２はケーブル２を介して高周波構造群３（例えば高周波増幅部）と接続されており、その差し込み部分１３は負荷４（例えば、抵抗Ｒ１によって記号化された能動的なアンテナ）と接続されている。負荷ないしアンテナの高周波信号は、差し込みコネクタ１が正常な場合には高周波増幅器３に達する。ケーブル２には、直流電圧源６によって給電される重信供給回路（Phantomspeisekreis）５を介して供給電流Ｉ０が印加される。この供給電流は負荷４の能動的な構造群（例えば能動的なアンテナ）に対する供給電流として用いられる。高い内部抵抗を伴う受動的なアンテナないしはアースに対して絶縁された棒状アンテナの場合には、抵抗Ｒ１は非常に高抵抗であり、アンテナを通って流れる電流Ｉ０の成分Ｉ１はほぼ０である。この場合には実質的に、供給電流Ｉ０から導かれた診断電流ＩＤだけが、差し込みコネクタ１内に組み込まれた診断抵抗６を介して流れる。この診断抵抗６は、負荷ないしアンテナ４へ続いている各差し込みコンタクト（差し込み部分１３）の間に配置されている。この診断電流ＩＤは診断装置７においてで例えば次のことに関して評価される。すなわち、この診断電流が所定の電流窓内にあるか否かに関して評価される。所定の電流窓領域内にある場合には、差し込みコネクタ１が、２つの差し込み接続極に関して正常であり、アンテナが正常に、接続された高周波構造群８と接続されているとされる。負荷のプリント回路基板上に配置される診断抵抗をこのようにして省くことができる、ないしは殊に受動的なアンテナの場合には、完全なプリント回路基板を省くことができる。
【０００８】
受動的なアンテナでは、診断抵抗６はアンテナ抵抗Ｒ１よりも格段に小さく選定される。これによって、診断電流ＩＤを確実に評価することが保証される。アンテナが能動的な場合には、診断抵抗は次のように設計される。すなわち、確かな評価が可能であるが、能動的なアンテナの過度に多い供給線路が除去されないように設計される。
【０００９】
ダイバーシチィ装置内での使用時には、複数のアンテナリード線ないしその差し込みコネクタが重信供給回路によって監視される。アンテナと、接続された高周波構造群（例えばダイバーシチィ評価部、増幅器、チューナー等）との間の複数の差し込みコネクタを１つの診断抵抗によって監視することも可能である。
【図面の簡単な説明】
【００１０】
【図１】差し込み接続部および診断抵抗を伴う基本回路図
【図１】
2008523369.tif 000003
【国際調査報告】
2008523369.tif 000004
2008523369.tif 000005
2008523369.tif 000006
2008523369.tif 000007